(57)【要約】【課題】陰極線管(ＣＲＴ)の周囲に消磁コイルを取付ける為の保持具であって、形状が簡単で製作コストが安く、又成形する金型代も安くなり、一方、保持される消磁コイルに弛みを発生することなく定位置に取付けすることが出来る保持具の提供。【解決手段】この保持具は樹脂製であって、消磁コイル７が係止するフック部１、ＣＲＴ８をキャビネットに取付ける固定金具９に設けた穴１０に嵌まって係合する係合部２、及び伸縮可能な弾性部３から成っている。【選択図】        図１
2004207973.tif 000002
【特許請求の範囲】
【請求項１】
陰極線管(ＣＲＴ)の周囲に消磁コイルを取付ける為の保持具において、該保持具は樹脂製であって消磁コイルが係止するフック部、ＣＲＴをキャビネットに取着する固定用金具に設けた小さな穴に嵌って係合する係合部、及び伸縮可能な弾性部から構成したことを特徴とする消磁コイルの保持具。
【請求項２】
上記係合部をＴ形とした請求項１記載の消磁コイルの保持具。
【請求項３】
上記係合部を矢印形とした請求項１記載の消磁コイルの保持具。
【発明の詳細な説明】
【０００１】
【発明の属する技術分野】
本発明は陰極線管(ＣＲＴ)の外周面に取付けられる消磁コイルを保持する為の保持具に関するものである。
【０００２】
【従来の技術】
ＣＲＴのシャドウ・マスクは鉄板等の金属で出来ている為に受像機の据付け位置で決まる地磁気の方向に磁化され、この状態でピュリティがうまくとれている受像機でも、向きを変えるとマスクの残留磁気の為に電子ビームが曲げられて、ピュリティが悪くなる。そこで、受像機の位置を変えたときに、シャドウ・マスクの磁気を消去することが必要であり、この目的の為に消磁コイルがＣＲＴに取付けられる。
【０００３】
消磁コイルをＣＲＴに取付ける際の作業性がよく、低コストで実現できる保持具が必要となり、従来において色々な保持具が知られている。特開２００１−２８５８８７号に係る「消磁コイル保持具」は、「ネジ穴を有するネジ止め部と押え部とより成り、ネジ止め部は、ＣＲＴの固定用金具を挟持する一対のツメを備えている。一対のツメによって消磁コイル保持具を固定用金具に仮固定し、消磁コイル保持具と共にＣＲＴをキャビネットにネジ止めする。ＣＲＴの周囲部に消磁コイルを配置し、押え部を折り曲げて押え付ける。」ように構成している。
【０００４】
しかし、上記保持具には折り曲げ部分及び穴を設け、又押え部を被覆している為に、該保持具の製造工程が多くなって製造単価は高くなる。そして、保持具を作る上での製造工程の増加に伴い、金型代が高くなってしまう。又、ＣＲＴの周囲に消磁コイルを配置し、保持具の押え部を曲げて固定する為に、押え方によっては消磁コイルが弛んだり、消磁コイルの取付け位置にバラツキが生じる。そして、ＣＲＴの周囲に消磁コイルを配置した後、保持具の押え部を折り曲げて消磁コイルが外れないように固定する工程を必要とする。
【０００５】
その他にも、特開２００１−９５００３号に係る「消磁コイルの取付構造」、特開平７−２８２７２６号に係る「コイルクランプ」なども従来技術であるが、ワンタッチ方式で消磁コイルをＣＲＴに簡単に取付けることは出来ない。
【０００６】
【発明が解決しようとする課題】
このように、従来の消磁コイル保持具には上記のごとき問題がある。本発明が解決しようとする課題はこれら問題点であり、形状が簡単で製作コストが安く、又成形する金型代も安く、保持される消磁コイルに弛みを発生することなく定位置に取付けられ、しかも、取付けがワンタッチ方式で容易な保持具を提供する。
【０００７】
【課題を解決する為の手段】
本発明に係る消磁コイルの保持具は、ＣＲＴをキャビネットに固定する為にコーナー部に備える固定用金具を利用し、該固定用金具に設けた穴に嵌って係合する係合部と、消磁コイルを係止するフック部、そして係合部とフック部の間で長さ方向に伸縮可能な弾性部により構成し、これら各部は樹脂を材質として一体的に成形されている。
【０００８】
ただし、フック部、係合部、及び弾性部の形状に関しては特に限定せず、ＣＲＴの固定用金具には、キャビネットにネジ止めする穴とは別に小径の穴が設けてあり、該穴に係合部を曲げ変形して挿通し、抜けないように係合させる。そして、保持具のフック部に消磁コイルを引っ掛けて所定の位置に取付ける。以下、本発明に係る実施例を図面に基づいて詳細に説明する。
【０００９】
【実施例】
図１は本発明に係る消磁コイルの保持具を示す実施例である。該消磁コイルの保持具は、フック部１、係合部２、及び弾性部３から成り、樹脂を材質として一体成形されている。フック部１は概略Ｕ形を成して消磁コイルが嵌る為の穴４を有し、先端５を持上げて捩じることで消磁コイルを穴４に嵌めて係止することが出来る。該保持具の各部位は薄板から成っている為に、先端５は捩じられて開口することが可能である。
【００１０】
係合部２はＴ形を成し、該係合部２はＣＲＴの固定用金具の穴に係合して取付けられる。弾性部３は波形に屈曲した形状を有し、該弾性部３は引っ張ることで延びることが出来るように厚さを薄くしている。又、弾性部３は伸縮し易いように軟質樹脂で構成することも出来る。
【００１１】
図２は本発明の消磁コイルの保持具を示す他の実施例であるが、基本的な形態は前記図１の保持具と共通している。従って、概略Ｕ形に湾曲したフック部１、Ｔ形の係合部２、及び弾性部３から成っている。弾性部３は波形を成して引っ張ることで伸びることが出来る。
【００１２】
図３に示す消磁コイルの保持具は、同じくフック部１、係合部２、及び弾性部３から成り、弾性部３は伸縮出来るように中央に概略楕円形の穴６が形成され、該弾性部３も伸縮可能となっている。又、図４に示す消磁コイルの保持具は前記図１に示したものとほぼ同じ形態であるが、係合部２の形状が違っていて、概略矢印形と成っている。矢印形の係合部とすることで、固定用金具の穴に簡単に押し込むことが出来る。
【００１３】
さらに図５の保持具はフック部１の形状が板厚方向に曲げ成形され、又係合部２もその向きが板厚に対して垂直方向と成っている。機能的には、前記保持具と同じであって、係合部２を固定用金具の穴に嵌めて係合し、フック部１には消磁コイルが係止される。
【００１４】
図６はＣＲＴに巻き付けた消磁コイルを保持している場合を示している。消磁コイル７はＣＲＴに沿って取付けられ、その４箇所が保持具Ａ，Ａ・・にて支持されている。図７は消磁コイル７が保持具Ａによって支持されている部分拡大図であり、ＣＲＴ８のコーナーにはキャビネットに固定する為に固定用金具９，９・・が取着されていて、該固定用金具９に保持具Ａが連結している。
【００１５】
上記固定用金具９には小さな穴１０が貫通して設けられ、この穴１０に係合部２を係合して連結している。該係合部２はＴ形を成しているが、係合部２は収縮変形して小さな穴１０を挿通し、挿通してＴ形に復元した係合部２は該穴１０から抜けることなく係合する。
【００１６】
そして、先端のフック部１には消磁コイル７が嵌って係止しているが、薄板から成るフック部１は捩じることで開口し、開口から消磁コイル７が挿入されて穴４に嵌って保持される。該保持具Ａには弾性部３が形成されている為に、消磁コイル７を引っ張ることが出来、その為に、ＣＲＴに取付けられる消磁コイル７はダブついて、その位置が変わることない。
【００１７】
図４に示すような矢印形の係合部２は、固定用金具９の穴１０に差し込むことで係合することが出来る。そして、該保持具Ａのフック部１の位置は変えることが出来、消磁コイル７は正しく保持される。
【００１８】
以上述べたように、本発明の消磁コイルの保持具はフック部と係合部及び弾性部から成る樹脂製の成形部品であり、次のような効果を得ることが出来る。
【００１９】
【発明の効果】
本発明の消磁コイルの保持具はＣＲＴの周りに取付けられる消磁コイルを定位置に保持することが出来る。すなわち、ＣＲＴのコーナー部には固定用金具が取着され、該固定用金具に設けた小さな穴に係合部を挿入して止着し、先端のフック部に消磁コイルを嵌めて保持することが出来る。そして、該保持具には収縮することが出来るように弾性部が設けられている為に、消磁コイルは引っ張られてダブつきは生じない。
【００２０】
本発明の消磁コイルの保持具は固定用金具にワンタッチで取り付け出来ると共に消磁コイルをワンタッチでフックに係止することが可能であり、該消磁コイルの取付け作業は簡略化される。そして、固定用金具の穴に係合した係合部は外れることはない。一方、保持具は樹脂製であり、フック部、係合部、及び弾性部が一体成形されることで製作コストは安く、その形状は簡略化されている為に成形用金型の製作も簡単である。
【図面の簡単な説明】
【図１】本発明に係る消磁コイルの保持具を示す実施例。
【図２】本発明に係る消磁コイルの保持具を示す実施例。
【図３】本発明に係る消磁コイルの保持具を示す実施例。
【図４】本発明に係る消磁コイルの保持具を示す実施例。
【図５】本発明に係る消磁コイルの保持具を示す実施例。
【図６】消磁コイルをＣＲＴに取り付けた場合。
【図７】本発明の保持具の使用例。
【符号の説明】
１  フック部
２  係合部
３  弾性部
４  穴
５  先端
６  穴
７  消磁コイル
８  ＣＲＴ
９  固定用金具
10  穴
【図１】
2004207973.tif 000003
【図２】
2004207973.tif 000004
【図３】
2004207973.tif 000005
【図４】
2004207973.tif 000006
【図５】
2004207973.tif 000007
【図６】
2004207973.tif 000008
【図７】
2004207973.tif 000009